(57)【要約】【課題】蒸発器（蒸発管）を備えた真空管式太陽集熱器の蒸発効率を向上させる。【解決手段】真空断熱層（45）を有した円筒状の２重ガラス管（42）と、該２重ガラス管（42）の内側に設けられて液冷媒が供給される蒸発管（46）とを有した真空管式集熱管（41）を備えた真空管式太陽集熱器において、蒸発管（46）の管内には、液冷媒を保持するウイック（48）を設ける。【選択図】図５
2009264712.tif 000002
【特許請求の範囲】
【請求項１】
真空断熱層（45）を有した円筒状の真空断熱部（42）と、該真空断熱部（42）の内側に設けられて液冷媒が供給される蒸発管（46）とを有した真空管式集熱管（41）を備えた真空管式太陽集熱器であって、
前記蒸発管（46）の管内には、前記液冷媒を保持する液冷媒保持手段（48）が設けられていることを特徴とする真空管式太陽集熱器。
【請求項２】
請求項１の真空管式太陽集熱器において、
前記液冷媒保持手段（48）は、ウイック（48）であることを特徴とする真空管式太陽集熱器。
【請求項３】
請求項１の真空管式太陽集熱器において、
前記液冷媒保持手段（48）は、毛管現象を生じさせる溝（49）であることを特徴とする真空管式太陽集熱器。
【請求項４】
請求項１の真空管式太陽集熱器において、
前記液冷媒は、前記蒸発管（46）の、配置された際に下端となる側から供給されることを特徴とする真空管式太陽集熱器。
【請求項５】
請求項１の真空管式太陽集熱器において、
前記真空管式集熱管（41）は、複数が並列に接続されていることを特徴とする真空管式太陽集熱器。
【請求項６】
請求項５の真空管式太陽集熱器において、
それぞれの蒸発管（46）は、それぞれの蒸発管（46）へ冷媒の流通抵抗を等しくする抵抗管（33）を介して並列に接続されていることを特徴とする真空管式太陽集熱器。
【請求項７】
請求項１の真空管式太陽集熱器と、
前記真空管式太陽集熱器と並列に接続され、空気から集熱する蒸発器（23）と、
を備えたことを特徴とする暖房システム。
【発明の詳細な説明】
【技術分野】
【０００１】
本発明は、太陽光を熱源として吸熱を行う真空管式太陽集熱器、及びそれを用いた暖房システムに関するものである。
【背景技術】
【０００２】
従来より、暖房システムのひとつとしていわゆるヒートポンプ式暖房システムが知られている。一般的なヒートポンプ式暖房システムは、室外の空気から暖房用の熱を吸熱する空気熱源ユニットと、暖房を行う室内に配置されて、空気熱源ユニットから送られた高圧冷媒の熱を室内空気へ放熱する凝縮器とを備えている。
【０００３】
このような、ヒートポンプ式暖房システムでは、室外の気温が低い場合の暖房能力低下を補うためや、高ＣＯＰの暖房システムを構築する目的などから、太陽光を熱源として吸熱を行ういわゆる太陽熱源ユニットが、空気熱源ユニットと併用されることがある（例えば特許文献１を参照）。この太陽熱源ユニットが併用されるヒートポンプ式暖房システムでは、空気熱源ユニットと太陽熱源ユニットとが並列に接続され、空気熱源ユニットで蒸発させた冷媒と太陽熱源ユニットで蒸発させた冷媒とを圧縮機で圧縮して高圧冷媒を得る。そして、この高圧冷媒の熱を、暖房を行う室内に配置した凝縮器によって、室内空気へ放熱している。
【特許文献１】特開昭６０−６９４５９号公報
【発明の開示】
【発明が解決しようとする課題】
【０００４】
ところで、この太陽熱源ユニットには、蒸発器で太陽熱を直接利用して冷媒を蒸発させるように構成された太陽集熱器を備えたものがある。このような太陽集熱器の蒸発器では、冷媒を流通させつつ加熱する蒸発管を備えている。そして、この太陽集熱器（蒸発管）は、屋根などの斜面に配置するのが一般的である。しかしながら、このような傾斜した蒸発管の配置では、蒸発管内の液状の冷媒は、受熱面（具体的には蒸発管の内周面）に接しにくく、しかも蒸発管内では冷媒の偏流が起こりやすいので蒸発効率が低下するという問題がある。また、蒸発効率の低下は蒸発器の大型化にもつながることになる。
【０００５】
本発明は、空気加熱式ヒートポンプによる暖房が難しかった寒冷地において効率良く暖房をおこなうために、上記の問題に着目してなされたものであり、蒸発器（蒸発管）を備えた真空管式太陽集熱器を採用し、さらにその蒸発効率を向上させることを目的としている。
【課題を解決するための手段】
【０００６】
上記の課題を解決するため、第１の発明は、
真空断熱層（45）を有した円筒状の真空断熱部（42）と、該真空断熱部（42）の内側に設けられて液冷媒が供給される蒸発管（46）とを有した真空管式集熱管（41）を備えた真空管式太陽集熱器であって、
前記蒸発管（46）の管内には、前記液冷媒を保持する液冷媒保持手段（48）が設けられていることを特徴とする。
【０００７】
これにより、液冷媒が液冷媒保持手段（48）によって真空管式集熱管（41）の蒸発管（46）内に保持されて、該蒸発管（46）の内面壁に接触させられる。
【０００８】
また、第２の発明は、
第１の発明の真空管式太陽集熱器において、
前記液冷媒保持手段（48）は、ウイック（48）であることを特徴とする。
【０００９】
これにより、ウイック（48）が、供給された液冷媒を浸透させ保持するとともに、保持した液冷媒を蒸発管（46）の内面壁に接触させる。
【００１０】
また、第３の発明は、
第１の発明の真空管式太陽集熱器において、
前記液冷媒保持手段（48）は、毛管現象を生じさせる溝（49）であることを特徴とする。
【００１１】
これにより、溝（49）が、供給された液冷媒を毛管現象によって取り込んで保持するとともに、保持した液冷媒を蒸発管（46）の内面壁に接触させる。
【００１２】
また、第４の発明は、
第１の発明の真空管式太陽集熱器において、
前記液冷媒は、前記蒸発管（46）の、配置された際に下端となる側から供給されることを特徴とする。
【００１３】
これにより、蒸発した冷媒（ガス冷媒）を、効率よく蒸発管（46）内で流すことができる。
【００１４】
また、第５の発明は、
第１の発明の真空管式太陽集熱器において、
前記真空管式集熱管（41）は、複数が並列に接続されていることを特徴とする。
【００１５】
これにより、複数の真空管式集熱管（41）によって冷媒の加熱が行われる。
【００１６】
また、第６の発明は、
第５の発明の真空管式太陽集熱器において、
それぞれの蒸発管（46）は、それぞれの蒸発管（46）へ冷媒の流通抵抗を等しくする抵抗管（33）を介して並列に接続されていることを特徴とする。
【００１７】
これにより、それぞれの真空管式集熱管（41）に対して均等に冷媒が分配される。
【００１８】
また、第７の発明は、
第１の発明の真空管式太陽集熱器と、
前記真空管式太陽集熱器と並列に接続され、空気から集熱する蒸発器（23）と、
を備えたことを特徴とする。
【００１９】
これにより、空気から集熱する蒸発器（23）と、真空管式太陽集熱器が併用されて、暖房が行われる。
【発明の効果】
【００２０】
第１の発明によれば、液冷媒が液冷媒保持手段（48）によって真空管式集熱管（41）の蒸発管（46）内に保持されて、該蒸発管（46）の内面壁に接触させられるので、寒冷地で外気温が低くとも太陽熱エネルギーをロスすることなく利用し、効率よく液冷媒を蒸発させることができる。このように蒸発の効率が向上することで、真空管式太陽集熱器の小型化が可能になる。
【００２１】
また、第２の発明によれば、屋根の様の斜面に蒸発管（46）を取り付け、下から液冷媒を供給しても、ウイック（48）が、供給された液冷媒を浸透させて保持するとともに、保持した液冷媒を蒸発管（46）の内面壁に接触させ、高さ方向にあげるので、蒸発管（46）の内面壁の全面で冷媒の加熱を効率よく行うことができる。
【００２２】
また、第３の発明によれば、屋根の様の斜面に蒸発管（46）を取り付け、下から液冷媒を供給しても、蒸発管（46）に設けられた溝（49）が、供給された液冷媒を毛管現象によって取り込んで保持するとともに、保持した液冷媒を蒸発管（46）の内面壁に接触させ、高さ方向にあげるので、蒸発管（46）の内面壁の全面で冷媒の加熱を効率よく行うことができる。
【００２３】
また、第４の発明によれば、蒸発した冷媒（ガス冷媒）を、効率よく蒸発管（46）内で流すことができるので、暖房システムのＣＯＰをより向上させることができる。
【００２４】
また、第５の発明によれば、複数の真空管式集熱管（41）で冷媒の加熱が行われるので、所望の量のガス冷媒を得ることができる。
【００２５】
また、第６の発明によれば、  それぞれの真空管式集熱管（41）に対して均等に冷媒が分配されるので、各真空管式集熱管（41）を効率よく機能させることができる。すなわち、この真空管式集熱管（41）を用いた暖房システムのＣＯＰをより向上させることができる。
【００２６】
また、第７の発明によれば、空気熱源ユニットと太陽熱源ユニットとが併用された従来の暖房システムと比べ、ＣＯＰをより向上させることができる。
【発明を実施するための最良の形態】
【００２７】
以下、本発明の実施形態について図面を参照しながら説明する。なお、以下の実施形態は、本質的に好ましい例示であって、本発明、その適用物、あるいはその用途の範囲を制限することを意図するものではない。
【００２８】
本発明の実施形態に係る真空管式太陽集熱器は、例えば、暖房運転が可能なヒートポンプ式の空気調和装置（暖房システム）において、空気を熱源とした熱交換器と並列に接続されて暖房用の熱を供給する。
【００２９】
＜暖房システムの全体構成＞
図１は、本発明の実施形態に係る真空管式太陽集熱器を含んだ暖房システム（1）のシステム図である。この暖房システム（1）は、図１に示すように、凝縮器（10）、空気熱源ユニット（20）、及び太陽熱源ユニット（30）を備えている。空気熱源ユニット（20）は、室外空気を熱源として吸熱を行い、太陽熱源ユニット（30）は、太陽光を熱源として吸熱を行う。暖房システム（1）では、太陽熱源ユニット（30）と空気熱源ユニット（20）とは、第１及び第２連絡配管（11,12）を介して互いに並列に接続され、さらに、この第１及び第２連絡配管（11,12）によって凝縮器（10）と接続されている。これにより、この暖房システム（1）では、冷媒（例えばＣＯ２）が循環して蒸気圧縮式の冷凍サイクルが行われる冷媒回路（13）が構成されている。
【００３０】
凝縮器（10）は、暖房を行う室内に配置されたいわゆる室内機に組み込まれている。そして、空気熱源ユニット（20）及び太陽熱源ユニット（30）から送られた高圧冷媒の熱を室内空気へ放熱して高圧冷媒を凝縮させる。この凝縮器（10）には、具体的には例えば、クロスフィン型のフィン・アンド・チューブ熱交換器などを採用することができる。なお、図示はしていないが、凝縮器（10）の近傍に室内ファンが設置され、凝縮器（10）とともに室内機に組み込まれている。
【００３１】
空気熱源ユニット（20）は、いわゆる室外機に組み込まれ、室外の空気から暖房用の熱を吸熱する。この例では、空気熱源ユニット（20）は、空気熱源ユニット側圧縮機（21）、膨張機（22）、熱交換器（23）、及び室外ファン（24）を備えている。
【００３２】
空気熱源ユニット側圧縮機（21）は、吸入ポートから吸入した冷媒を圧縮し、吐出ポートから圧縮した冷媒を吐出する。本実施形態では、空気熱源ユニット側圧縮機（21）の吸入ポート側が熱交換器（23）に接続され、吐出ポート側が第１連絡配管（11）を介して凝縮器（10）に接続されている。この空気熱源ユニット側圧縮機（21）には、例えばスクロール圧縮機などの種々の圧縮機を採用できる。
【００３３】
膨張機（22）は、流入孔が第２連絡配管（12）を介して凝縮器（10）に接続され、流出孔が熱交換器（23）に接続され、冷凍サイクルの膨張行程を行う。そして、凝縮器（10）から流入した冷媒を膨張させて、所定の圧力まで減圧させて、熱交換器（23）に流出させる。この膨張機（22）には、例えば、いわゆるロータリ式膨張機などを採用できる。このロータリ式膨張機（膨張機（22））は、流入した冷媒を膨張させて動力を発生させる。発生させた動力は、空気熱源ユニット側圧縮機（21）を直接駆動したり、発電機を駆動させて、発電した電力を空気熱源ユニット側圧縮機（21）に供給したりすることによって回収する。
【００３４】
熱交換器（23）は、膨張機（22）を介して冷媒が供給され、この冷媒を室外空気の熱で蒸発させる蒸発器として機能する。熱交換器（23）には、例えばクロスフィン型のフィン・アンド・チューブ熱交換器などを採用することができる。この熱交換器（23）の近傍には、室外ファン（24）が設置されている。室外ファン（24）は、熱交換器（23）へ室外空気を送風する。
【００３５】
太陽熱源ユニット（30）は、太陽熱源ユニット側圧縮機（31）、膨張弁（32）、及び真空管式太陽集熱器（40）を備え、太陽光から暖房用の熱を吸熱する。
【００３６】
太陽熱源ユニット側圧縮機（31）は、吸入ポートから吸入した冷媒を圧縮し、吐出ポートから圧縮した冷媒を吐出する。本実施形態では、太陽熱源ユニット側圧縮機（31）の吸入側が真空管式太陽集熱器（40）に接続され、吐出側が第１連絡配管（11）を介して凝縮器（10）に接続されている。この空気熱源ユニット側圧縮機（21）には、例えばスクロール圧縮機などの種々の圧縮機を採用できる。
【００３７】
膨張弁（32）は、流入孔が第２連絡配管（12）を介して凝縮器（10）に接続され、流出孔が真空管式太陽集熱器（40）に接続されている。そして、凝縮器（10）から流入した冷媒を膨張させて、所定の圧力まで減圧させて、真空管式太陽集熱器（40）に流出させる。
【００３８】
真空管式太陽集熱器（40）は、たとえば戸建住宅などの建造物の屋根に設置されて、膨張弁（32）から供給された低圧の冷媒を太陽熱で蒸発させる蒸発器として機能する。この真空管式太陽集熱器（40）を屋根に設置する際には、その屋根の傾斜に応じて斜めに傾斜させて配置するのが一般的である。日本国内での設置角度は、概ね30°〜45°程度であり、例えば降雪が多い地域などでは、傾斜角度を大きくする。
【００３９】
次に、真空管式太陽集熱器（40）の構成について詳述する。
【００４０】
本実施形態の真空管式太陽集熱器（40）は、流入した液体状の冷媒（液冷媒）を蒸発させる真空管式集熱管（41）を複数備えている。これらの真空管式集熱管（41）は互いに並列に接続されている。そして、各真空管式集熱管（41）は、この真空管式太陽集熱器（40）を設置した状態で、冷媒の流れ方向が設置場所（例えば戸建住宅の屋根等）の傾斜に沿うように配置されるとともに、設置状態で下端となる側から、膨張弁（32）から送られてきた液冷媒が供給されている（図２を参照）。この際、これらの真空管式集熱管（41）（詳しくは後述する蒸発管（46））には、図３に示すように、抵抗管（33）を介して、膨張弁（32）から送られてきた二相冷媒を分配している。この抵抗管（33）は、それぞれの真空管式集熱管（41）へ冷媒の流通抵抗を等しくするための配管である。
【００４１】
それぞれの真空管式集熱管（41）は、図４に示すように、２重ガラス管（42）と、この２重ガラス管（42）の内側（詳しくは後述の内側ガラス管（44）の内側）に設けられて液冷媒が供給される蒸発管（46）とを備えている。２重ガラス管（42）は、外側ガラス管（43）と内側ガラス管（44）との２重構造に構成されている。この外側ガラス管（43）と内側ガラス管（44）との間には隙間（層）が設けられている。そして、この層は真空状態に保持され、この層で真空断熱層（45）を形成している。
【００４２】
蒸発管（46）は、２重ガラス管（42）を介して入射した太陽光から熱を吸熱して液冷媒を蒸発させる。この例では具体的には蒸発管（46）は、銅管で形成されている。また、本実施形態では、この蒸発管（46）を内側ガラス管（44）内に配置した状態で、これらの間に隙間ができるように、内側ガラス管（44）の内径、及び蒸発管（46）の外径を設定し、蒸発管（46）と内側ガラス管（44）との間に空気層（47）を形成している。この蒸発管（46）には、既述の通り、抵抗管（33）を介して膨張弁（32）からの二相冷媒が供給される。
【００４３】
また、この蒸発管（46）の管内には、図５の（Ａ）及び（Ｂ）に示すように、液冷媒を保持する液冷媒保持手段としてウイック（48）が設けられている。本実施形態では、ウイック（48）は、蒸発管（46）の内面壁に沿うように、且つ蒸発管（46）の中心に空洞ができるように設けられている。そして、このウイック（48）は、蒸発管（46）の下端側から供給された液冷媒を浸透させて保持するとともに、保持した液冷媒を蒸発管（46）の内面壁に接触させる。このようなウイック（48）としては、例えば、金属多孔質体、多孔質セラミック、繊維の集合体などが挙げられる。
【００４４】
このように構成された蒸発管（46）では、例えば屋根などにおいて太陽光を受けると、太陽光は２重ガラス管（42）を通過して、蒸発管（46）と内側ガラス管（44）との間に形成された空気層（47）に到達し、この空気層（47）の空気を加熱する。この加熱された空気は蒸発管（46）を加熱する。また、空気層（47）を通過した太陽光は、蒸発管（46）の表面を加熱する。このように蒸発管（46）の表面が加熱されると、その熱は蒸発管（46）の内面壁に伝導し、蒸発管（46）の内面壁とウイック（48）との界面の液冷媒が加熱されて蒸発する。
【００４５】
以上のように構成された暖房システム（1）における暖房運転は、空気熱源ユニット（20）のみを用いて太陽熱源ユニット（30）を用いない第１の暖房運転モードと、太陽熱源ユニット（30）と空気熱源ユニット（20）とを併用した第２の暖房運転モードとの２つの暖房運転モードとが可能である。第１の暖房運転モードでは空気熱源ユニット（20）の熱交換器（23）が蒸発器として機能して暖房を行い、第２の暖房運転モードでは、太陽熱源ユニット（30）の真空管式太陽集熱器（40）、及び空気熱源ユニット（20）の熱交換器（23）がそれぞれ蒸発器として機能して暖房を行う。
【００４６】
＜暖房システム（1）の運転動作＞
上記の第１の暖房運転モード及び第２の暖房運転モードのそれぞれについての運転動作を説明する。
【００４７】
（第１の暖房運転モード）
例えば、夜間などには、空気熱源ユニット（20）のみを用いる第１の暖房運転モードで暖房が行われる。第１の暖房運転モードでは、空気熱源ユニット側圧縮機（21）のみが運転状態にされる。これにより、冷媒回路（13）では、空気熱源ユニット側圧縮機（21）で冷媒を圧縮する冷凍サイクルが行われる。この際、空気熱源ユニット側圧縮機（21）から吐出された冷媒（ガス冷媒）は、第１連絡配管（11）を通って室内機の凝縮器（10）へ送られる。凝縮器（10）に流入した冷媒は、室内空気へ放熱して凝縮する。凝縮器（10）では室内空気が加熱され、加熱された室内空気が室内へ送り返される。凝縮器（10）で凝縮した冷媒は、第２連絡配管（12）を介して室外機（空気熱源ユニット（20））へ送られる。室外機に流入した冷媒は、膨張機（22）を通過する際に減圧され、その後に熱交換器（23）で室外空気から吸熱して蒸発する。熱交換器（23）で蒸発した冷媒は、空気熱源ユニット側圧縮機（21）へ吸入されて圧縮される。
【００４８】
（第２の暖房運転モード）
一方、太陽熱源ユニット（30）と空気熱源ユニット（20）とを併用した第２の暖房運転モードでは、太陽熱源ユニット側圧縮機（31）と空気熱源ユニット側圧縮機（21）の両方が運転状態にされる。これにより、冷媒回路（13）では、太陽熱源ユニット側圧縮機（31）及び空気熱源ユニット側圧縮機（21）で冷媒を圧縮する冷凍サイクルが行われる。この際、太陽熱源ユニット側圧縮機（31）の吐出圧と空気熱源ユニット側圧縮機（21）の吐出圧とが同じになるように、太陽熱源ユニット側圧縮機（31）と空気熱源ユニット側圧縮機（21）の運転状態がそれぞれ制御される。
【００４９】
この第２の暖房運転モードでは、太陽熱源ユニット側圧縮機（31）及び空気熱源ユニット側圧縮機（21）からそれぞれ吐出された冷媒（ガス冷媒）は、第１連絡配管（11）を通って室内機の凝縮器（10）へ送られる。凝縮器（10）に流入した冷媒は、室内空気へ放熱して凝縮する。凝縮器（10）では室内空気が加熱され、加熱された室内空気が室内へ送り返される。凝縮器（10）で凝縮した冷媒は、第２連絡配管（12）を介して室外機（空気熱源ユニット（20））及び太陽熱源ユニット（30）へ送られる。室外機（空気熱源ユニット（20））に流入した冷媒は、膨張機（22）を通過する際に減圧され、その後に熱交換器（23）で室外空気から吸熱して蒸発する。熱交換器（23）で蒸発した冷媒は、空気熱源ユニット側圧縮機（21）へ吸入されて圧縮される。
【００５０】
一方、太陽熱源ユニット（30）に流入した冷媒は、膨張弁（32）を通過する際に減圧され、真空管式太陽集熱器（40）に送られる。真空管式太陽集熱器（40）では、抵抗管（33）を介して各真空管式集熱管（41）内の蒸発管（46）に冷媒（液冷媒）が均等に分配される。蒸発管（46）内に流入した液冷媒は、蒸発管（46）内に設けられたウイック（48）内に浸透して上昇する。ウイック（48）に浸透した液冷媒の一部は、蒸発管（46）の内面壁とウイック（48）との界面において、該蒸発管（46）の内面壁に接触する。
【００５１】
ここで、真空管式集熱管（41）が太陽光を受けると、太陽光は真空管式集熱管（41）の２重ガラス管（42）を通過して、蒸発管（46）と内側ガラス管（44）との間に形成された空気層（47）に到達し、この空気層（47）の空気を加熱する。なお、この真空管式集熱管（41）では、２重ガラス管（42）が真空断熱層（45）を有しているので、入射した光によって生じた熱は真空管式集熱管（41）の外に対流と伝導により放熱することが殆どない。したがって、寒冷地などでも外気温や風などの影響を受けることなく太陽からの熱を吸熱することができる。
【００５２】
空気層（47）を通過した太陽光が主に蒸発管（46）の表面を加熱する。このように蒸発管（46）の表面が加熱されると、その熱は蒸発管（46）の内面壁に伝導し、蒸発管（46）の内面壁とウイック（48）との界面の液冷媒が加熱されて蒸発する。
【００５３】
蒸発した冷媒（ガス冷媒）は、ウイック（48）の中を通り抜け、さらに、蒸発管（46）内の空洞部分を該蒸発管（46）の上方に向かって流れて、該蒸発管（46）の上端から流出する。このように、蒸発管（46）内では、冷媒が液相と気相とに分離されて熱交換（蒸発）とガス冷媒の流通が行われる。それぞれの真空管式集熱管（41）（蒸発管（46））から流出したガス冷媒は、太陽熱源ユニット側圧縮機（31）へ吸入されて圧縮される。
【００５４】
このように太陽熱源ユニット（30）と空気熱源ユニット（20）とを併用すると、図６のｐ−ｈ線図に示すように、空気熱源ユニット（20）のみを用いる第１の暖房運転モードよりも高いＣＯＰを実現できる。
【００５５】
以上のように、本実施形態によれば、蒸発管（46）が屋根等に設置され、液冷媒が下方から供給されても、液冷媒がウイック（48）によって真空管式集熱管（41）の蒸発管（46）内に保持されて、該蒸発管（46）の内面壁の全面に接触させられるので、効率よく液冷媒を蒸発させることができる。このように蒸発の効率が向上することで、真空管式太陽集熱器（40）の小型化が可能になる。しかも、抵抗管（33）によって、それぞれの真空管式集熱管（41）への冷媒の流通抵抗が等しくなっているので、それぞれ真空管式集熱管（41）に対して冷媒が均等に分配され、各真空管式集熱管（41）を効率よく機能させることができる。すなわち、暖房システム（1）のＣＯＰをより向上させることができる。
【００５６】
また、蒸発管（46）内では、冷媒が液相と気相とに分離されて熱交換（蒸発）が行われるので、ガス冷媒の流れに液冷媒が混入するのを防止できる。そのため、蒸発管（46）内では液冷媒の偏流が防止され、その結果、効率よくガス冷媒を流すことができる。
【００５７】
《その他の実施形態》
なお、蒸発管（46）における液冷媒を保持する液冷媒保持手段は、ウイック（48）には限定されない。例えば、蒸発管（46）の内周面に、毛管現象を生じさせる、ストレートあるいはスパイラル状の溝を設けてもよい。図７は、蒸発管（46）の断面図であり、この例では、蒸発管（46）内にストレートの溝（溝（49））を設けている。
【００５８】
また、蒸発管（46）と内側ガラス管（44）との間（上記の空気層（47））には、空気以外の気体、例えば不活性ガスを封入してもよい。また、蒸発管（46）と内側ガラス管（44）とが接するようにしてもよい。
【産業上の利用可能性】
【００５９】
本発明は、太陽光を熱源として吸熱を行う真空管式太陽集熱器、及びそれを用いた暖房システムとして有用である。
【図面の簡単な説明】
【００６０】
【図１】本発明の実施形態に係る真空管式太陽集熱器を含んだ暖房システムのシステム図である。
【図２】蒸発管の配置、及び冷媒の供給方向を示す図である。
【図３】蒸発管の配列と冷媒の分配を説明する図である。
【図４】真空管式集熱管の構造を示す断面図である。
【図５】蒸発管の構造を示す断面図であり、（Ａ）が蒸発管の横断面、（Ｂ）が蒸発管の一部を切り取った斜視図である。
【図６】第１及び第２の暖房運転モードのそれぞれの暖房運転モードにおけるｐ−ｈ線図の一例である。
【図７】内部に溝を有した蒸発管の構造を示す横断面図である。
【符号の説明】
【００６１】
1      暖房システム
２０      空気熱源ユニット
２３      熱交換器（蒸発器）
３０      太陽熱源ユニット
３３      抵抗管
４０      真空管式太陽集熱器
４１      真空管式集熱管
４２      ２重ガラス管（真空断熱部）
４５      真空断熱層
４６      蒸発管
４８      ウイック（液冷媒保持手段）
４９      溝（液冷媒保持手段）
【図１】
2009264712.tif 000003
【図２】
2009264712.tif 000004
【図３】
2009264712.tif 000005
【図４】
2009264712.tif 000006
【図５】
2009264712.tif 000007
【図６】
2009264712.tif 000008
【図７】
2009264712.tif 000009